(57)【要約】【課題】ネットワークを介して、低コストでペット向けの戒名作成ができ、手軽にペットの供養ができるペット向け戒名作成システムを提供すること。【解決手段】ネットワークに接続された情報端末から入力された複数の情報を受ける情報受付手段と、戒名に使用される語句を記憶した少なくとも１つの戒名要素記憶手段と、戒名要素記憶手段のアドレスを演算するアドレス演算手段と、戒名を所定のレイアウトで表示する表示画面を作成する表示画面作成手段と、表示画面作成手段により作成された表示画面を保存し、ネットワーク上に公開するネットワークサーバと、表示画面のネットワーク上のアドレスを含んだをお悔やみメールと忌明けメールを所与のメールアドレスに送信するメールサーバと、納金情報を受け付ける納金情報受付手段と、納金情報を外部の決済機関に送信して認証を行う課金手段とを有する構成とする。【選択図】    図１
2004259181.tif 000002
【特許請求の範囲】
【請求項１】
ネットワークに接続された情報端末から入力された複数の情報を受け付ける情報受付手段と、
戒名に使用される語句を記憶した少なくとも１つの戒名要素記憶手段と、
前記情報受付手段により入力された情報に基づき前記戒名要素記憶手段のアドレスを演算するアドレス演算手段と、
前記アドレスから読み込まれた前記語句を配列して構成した戒名を所定のレイアウトで表示する表示画面を作成する表示画面作成手段と、
前記表示画面作成手段により作成された表示画面を保存し、ネットワーク上に所定の期間、公開するネットワークサーバと、
前記表示画面のネットワーク上への公開時にネットワーク上のアドレスを含んだをお悔やみメールを、前記表示画面のネットワーク上への公開終了時に、忌明けメールを所与のメールアドレスに送信するメールサーバと、
前記情報端末から入力された納金情報を受け付ける納金情報受付手段と、
前記納金情報を外部の決済機関に送信して認証を行う課金手段とを有することを特徴とするペット向け戒名作成システム。
【発明の詳細な説明】
【０００１】
【発明の属する技術分野】
本発明は、インターネットなどのネットワークを用いて、亡くなったペットに、人間の戒名に当たる死後の贈り名を作成するペット向け戒名作成システムに関するものである。
【０００２】
【従来の技術】
ペットと死別された飼い主やその家族は、耐えがたい悲しみの襲われる。特に、近年の少子高齢化や女性の社会進出に伴う晩婚化という社会環境の変化により、ペットを家族同様に扱う飼い主が増加している。その結果、長年、連れ添ってきたペットとの別れは、飼い主やその家族にとっては、筆舌に尽し難い寂しさや苦しみを与えている。さらには、ペットを失った悲しみや自責の念のあまり体調を崩したり、精神的に不安定になる人も多い。そのような苦しみや悲しみを鎮め、心の安らぎを取り戻すため、ペット葬儀を行い供養することも一般的なものになってきている。
【０００３】
【発明が解決しようとする課題】
ところが、ペット葬儀を行うことは、その斎場等が限られていることや、時間・費用等の面でかなりの負担を強いられるといった問題点が存在していた。
【０００４】
そこで、本発明の目的は、ネットワークを介して、いつでも、誰でも、何処からでも、低コストでペット向けの戒名作成ができると共に、宗派・宗教にとらわれることなく、手軽に亡くなったペットの供養を行うことができるペット向け戒名作成システムを提供することにある。
【０００５】
【課題を解決するための手段】
上記の目的を達成するため、本発明のペット向け戒名作成システムは、ネットワークに接続された情報端末から入力された複数の情報を受け付ける情報受付手段と、戒名に使用される語句を記憶した少なくとも１つの戒名要素記憶手段と、情報受付手段により入力された情報に基づき、戒名要素記憶手段のアドレスを演算するアドレス演算手段と、演算により得られたアドレスから読み込まれた語句を配列して構成した戒名を所定のレイアウトで表示する表示画面を作成する表示画面作成手段と、この表示画面作成手段により作成された表示画面を保存し、ネットワーク上に所定の期間、公開するネットワークサーバと、その表示画面のネットワーク上への公開時にネットワーク上のアドレスを含んだをお悔やみメールを、表示画面のネットワーク上への公開終了時に、忌明けメールを所与のメールアドレスに送信するメールサーバと、情報端末から入力された納金情報を受け付ける納金情報受付手段と、その納金情報を外部の決済機関に送信して認証を行う課金手段とを有している。
【０００６】
【作用】
本発明のペット向け戒名作成システムによれば、ネットワークに接続された情報端末から入力された複数の情報を受け付ける情報受付手段と、戒名に使用される語句を記憶した少なくとも１つの戒名要素記憶手段と、情報受付手段により入力された情報に基づき、戒名要素記憶手段のアドレスを演算するアドレス演算手段と、演算により得られたアドレスから読み込まれた語句を配列して構成した戒名を所定のレイアウトで表示する表示画面を作成する表示画面作成手段と、この表示画面作成手段により作成された表示画面を保存し、ネットワーク上に所定の期間、公開するネットワークサーバと、その表示画面のネットワーク上への公開時にネットワーク上のアドレスを含んだをお悔やみメールを、表示画面のネットワーク上への公開終了時に、忌明けメールを所与のメールアドレスに送信するメールサーバと、情報端末から入力された納金情報を受け付ける納金情報受付手段と、その納金情報を外部の決済機関に送信して認証を行う課金手段とを有しているため、いつでも、誰でも、何処からでも、ペットの戒名を作成することができ、所定の期間中、何処からでも、何度でもその戒名を画面で確認しながら、供養をすることができる。
【０００７】
【発明の実施の形態】
次に本発明のペット向け戒名作成システムの好ましい実施の形態について、以下の実施例に基づいて説明する。
【０００８】
図１は、本発明のペット向け戒名作成システムによって、ペットの戒名が作成される手順を、情報端末上に現れる画面に基づいて説明した図である。まず、利用者は、パソコンや携帯電話などの情報端末から、インターネット等のネットワークを介して、このシステムが設置されたシステムサーバにアクセスする。すなわち、情報端末に所定のＵＲＬを入力することにより、「トップページ」（Ｇ１）が表示される。利用者は、このページから「ペットの死に際して」（Ｇ２）の説明を読むことができる。また、必要に応じて「ご利用案内」（Ｇ３）、「ご利用手順」（Ｇ４）を参照することもできる。そして、「ご利用規約」（Ｇ５）を確認した上で、「情報入力フォーム」（Ｇ６）に移行する。
【０００９】
この「情報入力フォーム」（Ｇ６）上で、郵便番号、飼い主の名前、メールアドレス、ペット名、ペット種別、没年月日、没年齢、雄雌別などを入力する。ここで、郵便番号は、作成される戒名の先頭に、ペット生前のゆかりの地名をつけるために利用される。もちろん、ペットの出生地や親しんだ地名などを直接入力させる方法も考えられる。また、戒名の先頭部分にゆかりの地名をつけず、飼い主の名前に基づいて、「○○家」という語句を付与することも可能である。ペット種別は、最初に予め用意した犬、猫、ハムスターなどの動物種別の中から該当する動物種別を選択させる。そして、その動物種別ごとに用意した種名（例えば、犬であれば、「柴犬」とか「セント・バーナード」など）から、該当する種名を選択する。
【００１０】
全ての入力が終わり、送信ボタンをクリックすると、入力漏れや入力形式に誤りがないかのチェックがなされる。その結果、エラーが検出されると、「エラー通知」（Ｇ８）が表示され、利用者に再入力や修正を促す。エラーが全て解消した段階で、「入力内容確認」（Ｇ９）画面が表示され、利用者が入力内容について最終確認を行う。確認がなされると、「支払い先指定」（Ｇ１０）画面により、請求金額が表示され、クレジットカードやウエブマネー等の支払い方法の選択が行われる。その情報に基づいて、外部の決済機関に対して認証を行い、課金手続が行われる。課金が完了すると「手続き完了ボタン」（Ｇ１１）が表示され、利用者が完了ボタンをクリックすることにより、手続きが完了し、戒名の作成が行われる。
【００１１】
次に、戒名作成のフローについて説明する。まず、「情報入力フォーム」（Ｇ６）上で入力された郵便番号データに基づき地名テーブルから、戒名の先頭につける文字を取り出す。例えば、郵便番号データが１０１−８４１１の場合には、「神田」という地名漢字が抽出される。その文字に続いて、動物種別毎に生息場所にちなんで決められた文字が付与される。例えば、動物種別が、「犬」であれば「丘」、「鳥」であれば「空」が付与される。このように、郵便番号データに基づき戒名の先頭につける文字を決定することに代えて、飼い主の姓に基づき戒名の先頭部分を決定することも可能である。例えば、飼い主の姓が「鈴木」であれば、戒名の先頭部分に「鈴木家」を付与する方法等が考えられる。
【００１２】
その次に、ペットの種名、没年月日、没年齢、雄雌別に基づき、例えば、図２に示したフローチャートで二文字からなるそのペットに固有の戒名が作成される。図２に示した例では、第一文字目の候補漢字として１００文字が、テーブル１に記憶されており、第二文字目の候補漢字として１００文字が、テーブル２に記憶されている。したがって、１００×１００通り（１万通り）の中から、ペットの種名、没年月日、没年齢、雄雌別に基づいて、２文字からなる１つの固有戒名が作成される。
【００１３】
図２に示した例では、没年月日を合計し、それに雄雌別により決定される値を加算し、さらに種名により決定される値を乗算し、テーブル１に第一文字目の候補漢字として登録された漢字の数により除算し、その余り（ＭＯＤ値）をアドレスとする文字をテーブル１から取り出し、第一文字としている。
【００１４】
同様に、没年月日を合計し、それに没年齢を加算し、さらに種名により決定される値を乗算し、テーブル２に第二文字目の候補漢字として登録された漢字の数により除算し、その余り（ＭＯＤ値）をアドレスとする文字をテーブル２から取り出し、第二文字としている。第一文字と第二文字により、２文字からなる、そのペットに固有の戒名が作成される。例えば、入力情報が、「柴犬、２００３年２月５日没、１２歳、雄」の場合には、「勇駆」という固有戒名が作成される。
【００１５】
さらに、それに続けて、ペット名（例えば、「ジョン」）が付与され、最後に、「安らかに土に還る」という意味で、「安土」という文字が付与される。上述の例では、「神田丘勇駆ジョン安土」という戒名ができあがる。
【００１６】
上記の戒名作成フローは、１つの例であって、このフローに限られることはない。作成された戒名は、図３に示したような「戒名表示」（Ｇ１２）画面に表示される。この「戒名表示」（Ｇ１２）画面のアドレス（ＵＲＬ）は、「再表示用メール」（Ｍ１）、すなわち「お悔やみメール」によって利用者に伝えられ、利用者は、所定の期間中（例えば、３０日）、いつでも、何処からでも情報端末を使って「戒名表示」（Ｇ１２）画面を確認することが可能である。また、必要に応じて、位牌のような形に組み立てることができる展開図上に戒名を表示して「展開図表示」（Ｇ１３）をさせることも可能である。さらに、「戒名表示」（Ｇ１２）画面に呼応させて、葬送曲やお経を流したり、利用者が予め録音したお別れの言葉を再生したり、利用者から画像データとして送られたペットの在りし日の画像を表示させることも可能である。
【００１７】
また、利用者は、この「再表示用メール」（Ｍ１）、すなわち「お悔やみメール」を知人等に転送することによって、ペットの死亡を知人に知らせることができる。さらに、利用者が、「情報入力フォーム」（Ｇ６）上で予め指定した複数のメールアドレスに、「戒名表示」（Ｇ１２）画面のアドレス（ＵＲＬ）の書かれたペット死亡のお知らせメールを自動的に送信することも可能である。その後、所定の期間（例えば、３０日）経過後に「戒名表示」（Ｇ１２）画面の表示を終了する旨を伝える「法要メール」（Ｍ２）（忌明けメール）を利用者に通知する。さらに、利用者の要望に応じて、４９日、一周忌、祥月命日、三回忌など特定日に「法要メール」を通知することも可能である。一方、「戒名表示」（Ｇ１２）画面をリメイクしてインターネット上にメモリアル・ページとして長期間表示させたり、カレンダーを自動生成して表示させることも可能である。さらに、その「戒名表示」（Ｇ１２）画面にリンクさせた掲示板を用意し、飼い主や、そのペットを良く知る人に自由に思い出などを書き込んでもらうことも可能である。
【００１８】
【発明の効果】
以上詳述したように、本発明のペット向け戒名作成システムによれば、ネットワークに接続された情報端末から入力された複数の情報を受け付ける情報受付手段と、戒名に使用される語句を記憶した少なくとも１つの戒名要素記憶手段と、情報受付手段により入力された情報に基づき、戒名要素記憶手段のアドレスを演算するアドレス演算手段と、演算により得られたアドレスから読み込まれた語句を配列して構成した戒名を所定のレイアウトで表示する表示画面を作成する表示画面作成手段と、この表示画面作成手段により作成された表示画面を保存し、ネットワーク上に所定の期間、公開するネットワークサーバと、その表示画面のネットワーク上への公開時にネットワーク上のアドレスを含んだをお悔やみメールを、表示画面のネットワーク上への公開終了時に、忌明けメールを所与のメールアドレスに送信するメールサーバと、情報端末から入力された納金情報を受け付ける納金情報受付手段と、その納金情報を外部の決済機関に送信して認証を行う課金手段とを有しているため、いつでも、誰でも、何処からでも、手軽に、ペットの戒名を作成することができ、所定の期間中、何処からでも、何度でもその戒名を画面で確認しながら、供養をすることができる。
【図面の簡単な説明】
【図１】本発明のペット向け戒名作成システムの画面構成を示す図である。
【図２】本発明のペット向け戒名作成システムにおける戒名作成のアルゴリズムである。
【図３】本発明のペット向け戒名作成システムにおける戒名表示画面の一例である。
【図１】
2004259181.tif 000003
【図２】
2004259181.tif 000004
【図３】
2004259181.tif 000005